(57)【要約】【課題】画像が転写体に転写された後の被形成体上に付着しているトナーと該被形成体との付着力の低下を抑制する。【解決手段】転写体と、金属顔料を含むトナーが静電力により付着されて画像１が形成され画像１が転写位置で転写体に転写される被形成体１と、画像１の転写後に被形成体１に付着するトナーと逆極性の電荷を被形成体１に付与して被形成体１の画像履歴を除去する除去部１と、転写位置に対する転写体の搬送方向下流に配され金属顔料を含まないトナーが静電力により付着されて画像２が形成され画像２が転写体に転写される被形成体２と、画像２の転写後に被形成体２に付着するトナーと逆極性の電荷を被形成体２に付与して被形成体２の画像履歴を除去する除去部２と、画像１が転写体に転写される場合には、画像１が転写体に転写されない場合より、除去部１及び除去部２の少なくとも一方の出力を低下させる制御部と、を備える。【選択図】図１
2015158528.tif 000002
【特許請求の範囲】
【請求項１】
画像が転写され、該画像を搬送する転写体と、
金属顔料を含むトナーが静電力によって付着されて第１画像が形成され、該第１画像が転写位置で前記転写体に転写される第１被形成体と、
前記第１画像が転写された後に前記第１被形成体に付着しているトナーと逆極性の電荷を該第１被形成体に付与して該第１被形成体上の画像履歴を除去する第１除去部と、
前記転写位置に対する前記転写体の搬送方向下流に配置され、金属顔料を含まないトナーが静電力によって付着されて第２画像が形成され、該第２画像が前記転写体に転写される第２被形成体と、
前記第２画像が転写された後に前記第２被形成体に付着しているトナーと逆極性の電荷を該第２被形成体に付与して該第２被形成体上の画像履歴を除去する第２除去部と、
前記第１画像が前記転写体に転写される場合には、前記第１画像が前記転写体に転写されない場合よりも、前記第１除去部及び前記第２除去部の少なくとも一方の出力を低下させる制御部と、
を備える画像形成装置。
【請求項２】
画像が転写され、該画像を搬送する転写体と、
金属顔料を含むトナーが静電力によって付着されて第１画像が形成され、該第１画像が転写位置で前記転写体に転写される第１被形成体と、
前記第１画像が転写された後に前記第１被形成体に付着しているトナーと逆極性の電荷を該第１被形成体に付与して該第１被形成体上の画像履歴を除去する第１除去部と、
前記転写位置に対する前記転写体の搬送方向下流に配置され、金属顔料を含まないトナーが静電力によって付着されて第２画像が形成され、該第２画像が前記転写体に転写される第２被形成体と、
前記第２画像が転写された後に前記第２被形成体に付着しているトナーと逆極性の電荷を該第２被形成体に付与して該第２被形成体上の画像履歴を除去する第２除去部と、
前記第１画像が前記転写体に転写される場合であって、前記転写体に転写される前記第１画像における単位サイズあたりの前記搬送方向に沿ったトナー量が予め定められた値を超える場合には、前記第１画像が前記転写体に転写されない場合よりも、前記第１除去部及び前記第２除去部の少なくとも一方の出力を低下させる制御部と、
を備える画像形成装置。
【請求項３】
前記第１被形成体に形成された第１画像を前記転写位置で前記転写体に転写する第１転写部材と、
前記第２被形成体に形成された第２画像を前記転写体に転写する第２転写部材と、
前記第１転写部材が前記第１画像を前記転写体に転写するための転写電圧を前記第１転写部材に印加する第１印加部と、
前記第２転写部材が前記第２画像を前記転写体に転写するための転写電圧を前記第２転写部材に印加する第２印加部と、
を備え、
前記制御部は、前記第１除去部の出力を低下させると前記第１印加部が印加する転写電圧を低下させ、前記第２除去部の出力を低下させると前記第２印加部が印加する転写電圧を低下させる
請求項１又は２に記載の画像形成装置。
【請求項４】
前記制御部は、前記第１画像が前記転写体から記録媒体に転写されない場合には、前記第１除去部及び前記第２除去部の少なくとも一方の稼働を停止する
請求項１に記載の画像形成装置。
【請求項５】
画像が転写され、該画像を搬送する転写体と、
金属顔料を含むトナーが静電力によって付着されて第１画像が形成され、該第１画像が転写位置で前記転写体に転写される第１被形成体と、
前記第１画像が転写された後に前記第１被形成体に付着している付着トナーと逆極性の電荷を該第１被形成体に付与して該第１被形成体上の画像履歴を除去する第１除去部と、
前記転写位置に対する前記転写体の搬送方向下流に配置され、金属顔料を含まないトナーが静電力によって付着されて第２画像が形成され、該第２画像が前記転写体に転写される第２被形成体と、
前記第２画像が転写された後に前記第２被形成体に付着している付着トナーと逆極性の電荷を該第２被形成体に付与して該第２被形成体上の画像履歴を除去する第２除去部と、
前記第１画像が前記転写体に転写される場合には、前記第１画像が前記転写体に転写されない場合よりも、前記第１除去部及び前記第２除去部の少なくとも一方の出力を上昇させる制御部と、
を備える画像形成装置。
【請求項６】
画像が転写され、該画像を搬送する転写体と、
金属顔料を含むトナーが静電力によって付着されて第１画像が形成され、該第１画像が転写位置で前記転写体に転写される第１被形成体と、
前記第１画像が転写された後に前記第１被形成体に付着している付着トナーと逆極性の電荷を該第１被形成体に付与して該第１被形成体上の画像履歴を除去する第１除去部と、
前記転写位置に対する前記転写体の搬送方向下流に配置され、金属顔料を含まないトナーが静電力によって付着されて第２画像が形成され、該第２画像が前記転写体に転写される第２被形成体と、
前記第２画像が転写された後に前記第２被形成体に付着している付着トナーと逆極性の電荷を該第２被形成体に付与して該第２被形成体上の画像履歴を除去する第２除去部と、
前記第１画像が前記転写体に転写される場合であって、前記転写体に転写される前記第１画像における単位サイズあたりの前記搬送方向に沿ったトナー量が予め定められた値を超える場合には、前記第１画像が前記転写体に転写されない場合よりも、前記第１除去部及び前記第２除去部の少なくとも一方の出力を上昇させる制御部と、
を備える画像形成装置。
【発明の詳細な説明】
【技術分野】
【０００１】
本発明は、画像形成装置に関する。
【背景技術】
【０００２】
特許文献１には、ＣＰＵの制御によって、バイアス印加電源から導電性ブラシに、導電性ブラシと感光ドラムとの間に電位差を形成するためのクリーニングバイアスを、画像形成量に応じて低くなるように印加する構成が開示されている。
【先行技術文献】
【特許文献】
【０００３】
【特許文献１】２００３−２７１０３０号公報
【発明の概要】
【発明が解決しようとする課題】
【０００４】
本発明は、画像が転写体に転写された後の被形成体上に付着しているトナーと該被形成体との付着力の低下を抑制することを目的とする。
【課題を解決するための手段】
【０００５】
請求項１の発明は、画像が転写され、該画像を搬送する転写体と、金属顔料を含むトナーが静電力によって付着されて第１画像が形成され、該第１画像が転写位置で前記転写体に転写される第１被形成体と、前記第１画像が転写された後に前記第１被形成体に付着しているトナーと逆極性の電荷を該第１被形成体に付与して該第１被形成体上の画像履歴を除去する第１除去部と、前記転写位置に対する前記転写体の搬送方向下流に配置され、金属顔料を含まないトナーが静電力によって付着されて第２画像が形成され、該第２画像が前記転写体に転写される第２被形成体と、前記第２画像が転写された後に前記第２被形成体に付着しているトナーと逆極性の電荷を該第２被形成体に付与して該第２被形成体上の画像履歴を除去する第２除去部と、前記第１画像が前記転写体に転写される場合には、前記第１画像が前記転写体に転写されない場合よりも、前記第１除去部及び前記第２除去部の少なくとも一方の出力を低下させる制御部と、を備える。
【０００６】
請求項２の発明は、画像が転写され、該画像を搬送する転写体と、金属顔料を含むトナーが静電力によって付着されて第１画像が形成され、該第１画像が転写位置で前記転写体に転写される第１被形成体と、前記第１画像が転写された後に前記第１被形成体に付着しているトナーと逆極性の電荷を該第１被形成体に付与して該第１被形成体上の画像履歴を除去する第１除去部と、前記転写位置に対する前記転写体の搬送方向下流に配置され、金属顔料を含まないトナーが静電力によって付着されて第２画像が形成され、該第２画像が前記転写体に転写される第２被形成体と、前記第２画像が転写された後に前記第２被形成体に付着しているトナーと逆極性の電荷を該第２被形成体に付与して該第２被形成体上の画像履歴を除去する第２除去部と、前記第１画像が前記転写体に転写される場合であって、前記転写体に転写される前記第１画像における単位サイズあたりの前記搬送方向に沿ったトナー量が予め定められた値を超える場合には、前記第１画像が前記転写体に転写されない場合よりも、前記第１除去部及び前記第２除去部の少なくとも一方の出力を低下させる制御部と、を備える。
【０００７】
請求項３の発明は、前記第１被形成体に形成された第１画像を前記転写位置で前記転写体に転写する第１転写部材と、前記第２被形成体に形成された第２画像を前記転写体に転写する第２転写部材と、前記第１転写部材が前記第１画像を前記転写体に転写するための転写電圧を前記第１転写部材に印加する第１印加部と、前記第２転写部材が前記第２画像を前記転写体に転写するための転写電圧を前記第２転写部材に印加する第２印加部と、を備え、前記制御部は、前記第１除去部の出力を低下させると前記第１印加部が印加する転写電圧を低下させ、前記第２除去部の出力を低下させると前記第２印加部が印加する転写電圧を低下させる。
【０００８】
請求項４の発明は、前記制御部は、前記第１画像が前記転写体から記録媒体に転写されない場合には、前記第１除去部及び前記第２除去部の少なくとも一方の稼働を停止する。
【０００９】
請求項５の発明は、画像が転写され、該画像を搬送する転写体と、金属顔料を含むトナーが静電力によって付着されて第１画像が形成され、該第１画像が転写位置で前記転写体に転写される第１被形成体と、前記第１画像が転写された後に前記第１被形成体に付着している付着トナーと逆極性の電荷を該第１被形成体に付与して該第１被形成体上の画像履歴を除去する第１除去部と、前記転写位置に対する前記転写体の搬送方向下流に配置され、金属顔料を含まないトナーが静電力によって付着されて第２画像が形成され、該第２画像が前記転写体に転写される第２被形成体と、前記第２画像が転写された後に前記第２被形成体に付着している付着トナーと逆極性の電荷を該第２被形成体に付与して該第２被形成体上の画像履歴を除去する第２除去部と、前記第１画像が前記転写体に転写される場合には、前記第１画像が前記転写体に転写されない場合よりも、前記第１除去部及び前記第２除去部の少なくとも一方の出力を上昇させる制御部と、を備える。
【００１０】
請求項６の発明は、画像が転写され、該画像を搬送する転写体と、金属顔料を含むトナーが静電力によって付着されて第１画像が形成され、該第１画像が転写位置で前記転写体に転写される第１被形成体と、前記第１画像が転写された後に前記第１被形成体に付着している付着トナーと逆極性の電荷を該第１被形成体に付与して該第１被形成体上の画像履歴を除去する第１除去部と、前記転写位置に対する前記転写体の搬送方向下流に配置され、金属顔料を含まないトナーが静電力によって付着されて第２画像が形成され、該第２画像が前記転写体に転写される第２被形成体と、前記第２画像が転写された後に前記第２被形成体に付着している付着トナーと逆極性の電荷を該第２被形成体に付与して該第２被形成体上の画像履歴を除去する第２除去部と、前記第１画像が前記転写体に転写される場合であって、前記転写体に転写される前記第１画像における単位サイズあたりの前記搬送方向に沿ったトナー量が予め定められた値を超える場合には、前記第１画像が前記転写体に転写されない場合よりも、前記第１除去部及び前記第２除去部の少なくとも一方の出力を上昇させる制御部と、を備える。
【発明の効果】
【００１１】
本発明の請求項１、２、５、６の構成によれば、第１除去部及び第２除去部の出力が一定である場合に比べ、画像が転写体に転写された後の被形成体上に付着しているトナーと該被形成体との付着力の低下を抑制できる。
【００１２】
本発明の請求項３の構成によれば、第１印加部及び第２印加部が印加する転写電圧が一定である場合に比べ、転写電圧の印加に起因して被形成体上に残る画像履歴を低減できる。
【００１３】
本発明の請求項４の構成によれば、第１画像が転写体から記録媒体に転写されない場合において第１除去部及び第２除去部の少なくとも一方の稼働を停止しない場合に比べ、画像が転写体に転写された後の被形成体上に付着しているトナーと該被形成体との付着力の低下を効果的に抑制できる。
【図面の簡単な説明】
【００１４】
【図１】本実施形態に係る画像形成装置を正面側から見た構成を示す概略図である。
【図２】本実施形態に係る画像形成装置に備えられたトナー画像形成部を示した概略図である。
【図３】画像形成動作に伴って移動する銀色トナーを示す概略図である。
【図４】銀色トナーの帯電分布を示すグラフである。
【図５】銀色トナーのボタ落ちと、画像サイズＡ３当たりの搬送方向におけるトナー量と、の関係を示すグラフである。
【図６】ゴーストと、一次転写ロールに印加する転写電圧の電流値と、の関係を示すグラフである。
【発明を実施するための形態】
【００１５】
以下に、本発明に係る実施形態の一例を図面に基づき説明する。なお、各図に示す矢印Ｈは鉛直方向を示し、矢印Ｗは水平方向であって装置幅方向を示す。
【００１６】
＜画像形成装置１０の構成＞
図１は、画像形成装置１０を正面側から見た構成を示す概略図である。この図に示されるように、画像形成装置１０は、電子写真方式により記録媒体としてのシート部材Ｐに画像を形成する画像形成部１２と、シート部材Ｐを搬送する搬送装置５０と、を有している。
【００１７】
（画像形成部１２）
画像形成部１２は、トナー画像を形成するトナー画像形成部２０と、トナー画像形成部２０で形成されたトナー画像をシート部材Ｐに転写する転写装置３０と、シート部材Ｐに転写されたトナー画像をシート部材Ｐに定着する定着装置４０と、を有している。
【００１８】
トナー画像形成部２０は、色ごとにトナー画像を形成するように複数備えられている。この実施形態では、第１特別色（Ｖ）、第２特別色（Ｗ）、イエロー（Ｙ）、マゼンタ（Ｍ）、シアン（Ｃ）、ブラック（Ｋ）の計６色のトナー画像形成部２０が設けられている。図１に示す（Ｖ）、（Ｗ）、（Ｙ）、（Ｍ）、（Ｃ）、（Ｋ）は、上記各色を示している。転写装置３０は、各色のトナー画像が重畳して一次転写された転写ベルト３１から、転写ニップＮＴにおいてシート部材Ｐに、その重畳されたトナー画像を転写するようになっている。
【００１９】
なお、第１特別色（Ｖ）及び第２特別色（Ｗ）には、画像形成装置１０の使用者が使用したい任意の色が用いられる。具体的には、第１特別色（Ｖ）及び第２特別色（Ｗ）として、例えば、金属顔料を含むトナーによる銀色や金色等の金属色が用いられる。また、トナー画像形成部２０Ｖ及びトナー画像形成部２０Ｗの少なくとも一方を使用しなくてもよい。
【００２０】
本実施形態では、第２特別色（Ｗ）として、金属顔料を含むトナーによる銀色を用いると共に、第１特別色（Ｖ）のトナー画像形成部２０を使用しない例について説明する。なお、金属顔料を含むトナーにおいては、金属顔料以外の顔料を含んでいてもよい。
【００２１】
〔トナー画像形成部２０〕
各色のトナー画像形成部２０は、用いるトナーを除き基本的に同様に構成されている。したがって、以下、各色のトナー画像形成部２０について、特に区別することなく説明する。トナー画像形成部２０は、図２に示されるように、被形成体の一例としての感光体ドラム２１と、帯電器２２と、露光装置２３と、現像装置２４と、電荷付与装置２６と、清掃装置２５と、を有している。
【００２２】
［感光体ドラム］
感光体ドラム２１は、円筒状に形成されて接地され、図示しない駆動手段によって自軸周りに回転駆動されるようになっている。感光体ドラム２１の表面には、一例として負の帯電極性を呈する感光層が形成されている。図１に示されるように、各色の感光体ドラム２１は、正面視で装置幅方向に沿って直線状に並べて配置されている。
【００２３】
［帯電器］
帯電器２２は、図２に示されるように、感光体ドラム２１の表面（感光層）を負極性に帯電させるようになっている。この実施形態では、帯電器２２は、コロナ放電方式（非接触帯電方式）のスコロトロン帯電器とされている。
【００２４】
［露光装置］
露光装置２３は、感光体ドラム２１の表面に静電潜像を形成するようになっている。具体的には、制御部７０から受け取った画像データに応じて、変調した露光光Ｌを帯電器２２により帯電された感光体ドラム２１の表面に照射するようになっている。この露光装置２３によって露光光Ｌが照射された部分は、正極性を呈し、感光体ドラム２１の表面には静電潜像が形成される。
【００２５】
［現像装置］
現像装置２４は、トナー（現像剤）を現像ロール２４１で保持し、現像ロール２４１で保持したトナーで、感光体ドラム２１の表面に形成された静電潜像を現像することで、感光体ドラム２１の表面にトナー画像を形成するようになっている。具体的には、現像ロール２４１で保持したトナーを感光体ドラム２１に静電力によって付着させてトナー画像を形成するようになっている。すなわち、負極性のトナーが、正極性を呈する静電潜像に付着して現像される。
【００２６】
［電荷付与装置］
電荷付与装置２６は、転写後の感光体ドラム２１に電荷を付与して、感光体ドラム２１上の画像履歴を除去する。具体的には、負極性の電荷を感光体ドラム２１に付与することで、正極性を呈する静電潜像の履歴が除去されるようになっている。電荷付与装置２６としては、例えば、コロナ放電方式（非接触帯電方式）のコロトロンが用いられる。
【００２７】
［清掃装置］
清掃装置２５は、図２に示されるように、転写装置３０へのトナー画像の転写後に感光体ドラム２１の表面に残留した残留トナーを除去するブラシ２５１と、当該残留トナーを感光体ドラム２１の表面から掻き取るブレード２５２と、を有している。また、清掃装置２５は、ブラシ２５１に対する感光体ドラム２１の回転方向上流側（下方側）に配置されたシール部材２５３を有している。シール部材２５３は、上端部（下流端部）が感光体ドラム２１に接触しており、下端部（上流端部）が感光体ドラム２１から離間している。シール部材２５３は、ブレード２５２が掻き取ったトナーやブラシ２５１が除去したトナーを、筐体２５４内（図２における左側）へ落下させるように、当該トナーを案内する。
【００２８】
〔転写装置〕
転写装置３０は、各色の感光体ドラム２１のトナー画像を、転写体の一例としての転写ベルト３１（中間転写体）に重畳して一次転写し、該重畳されたトナー画像をシート部材Ｐに二次転写するようになっている。以下、具体的に説明する。
【００２９】
［転写ベルト］
転写ベルト３１は、図１に示されるように、無端状を成し、複数のロール３２に巻き掛けられて姿勢が決められている。この実施形態では、転写ベルト３１は、正面視で装置幅方向に長い逆鈍角三角形状の姿勢とされている。複数のロール３２のうち、図１に示すロール３２Ｄは、図示しないモータの動力により転写ベルト３１を矢印Ａ方向に周回させる駆動ロールとして機能する。
【００３０】
転写ベルト３１は、矢印Ａ方向に周回することで、一次転写された画像を転写ニップＮＴ（二次転写位置）へ搬送するようになっている。
【００３１】
また、複数のロール３２のうち、図１に示すロール３２Ｔは、転写ベルト３１に張力を付与する張力付与ロールとして機能する。複数のロール３２のうち、図１に示すロール３２Ｂは、後述する二次転写ロール３４の対向ロールとして機能する。ロール３２Ｂには、前述の通り逆さ鈍角三角形状の姿勢とされた転写ベルト３１の鈍角を成す下端側の頂部が巻き掛けられている。この転写ベルト３１は、前述した姿勢で装置幅方向に延びる上辺部において、各色の感光体ドラム２１に下方から接触している。
【００３２】
［一次転写ロール］
転写ベルト３１の内側には、各感光体ドラム２１のトナー画像を転写ベルト３１に転写させる一次転写ロール３３（転写部材の一例）が配置されている。各一次転写ロール３３は、転写ベルト３１を挟んで対応する色の感光体ドラム２１に対して対向配置されている。また、一次転写ロール３３は、給電部７２によって、トナー極性とは逆極性の転写電圧が印加されるようになっている。この転写電圧の印加により、感光体ドラム２１に形成されたトナー画像が転写ベルト３１に転写される構成である。
【００３３】
［二次転写ロール］
また、転写装置３０は、転写ベルト３１に重畳されたトナー画像をシート部材Ｐに転写する二次転写ロール３４を備えている。二次転写ロール３４は、ロール３２Ｂとの間に転写ベルト３１を挟むように配置され、転写ベルト３１との間に転写ニップＮＴを形成している。この転写ニップＮＴには、媒体供給部５２から適時にシート部材Ｐが供給されるようになっている。二次転写ロール３４は、給電部７２によって、トナー極性とは逆極性の転写電圧が印加されるようになっている。この転写電圧の印加により、転写ニップＮＴを通過するシート部材Ｐに、転写ベルト３１からトナー画像が転写されるようになっている。
【００３４】
［清掃装置］
さらに、転写装置３０は、二次転写後に転写ベルト３１を清掃する清掃装置３５を備えている。清掃装置３５は、転写ベルト３１の周回方向において、二次転写が行われる部分（転写ニップＮＴ）の下流側で、かつ一次転写が行われる部分の上流側に配置されている。清掃装置３５は、転写ベルト３１の表面に残留したトナーを転写ベルト３１の表面から掻き取るブレード３５１を備えている。
【００３５】
〔定着装置〕
定着装置４０は、転写装置３０においてトナー画像が転写されたシート部材Ｐに、該トナー画像を定着させるようになっている。具体的には、定着装置４０は、加熱ロール４１と、加圧ロール４２によって、定着ニップＮＦにおいてトナー画像を加熱しつつ加圧することで、トナー画像をシート部材Ｐに定着する構成とされている。
【００３６】
（搬送装置）
図１に示されるように、搬送装置５０は、媒体供給部５２と、中間搬送部５８と、下流側搬送部５４と、を有している。
【００３７】
〔媒体供給部〕
媒体供給部５２は、シート部材Ｐが積載して収容される収容器５２１を備えている。収容器５２１から二次転写位置である転写ニップＮＴまでには、複数の搬送ロール対５２２及び図示しないガイド等によって媒体供給経路５２Ｐが形成されている。
【００３８】
そして、収容器５２１の上側には、収容器５２１に積載された最上位のシート部材Ｐを送り出す送出ロール５２３が配置されている。複数の搬送ロール対５２２のうち、シート部材Ｐの搬送方向の最上流側の搬送ロール対５２２Ｓは、送出ロール５２３によって収容器５２１から重なって送り出されたシート部材Ｐを一枚ずつに分離する分離ロールとして機能する。また、複数の搬送ロール対５２２のうち、シート部材Ｐの搬送方向において転写ニップＮＴの直上流に位置する搬送ロール対５２２Ｒは、転写ベルト３１上のトナー画像の移動タイミングとシート部材Ｐの搬送タイミングを合わせるように動作されるようになっている。
【００３９】
〔中間搬送部〕
図１に示されるように、中間搬送部５８は、転写装置３０の転写ニップＮＴから定着装置４０の定着ニップＮＦまでの間に配置され、ロールに巻き掛けられた無端状の搬送ベルトを備えたベルト搬送部材５８１を複数備えている。
【００４０】
ベルト搬送部材５８１の内側から空気を吸引（負圧吸引）してシート部材Ｐを搬送ベルトの表面に吸い付けながら搬送ベルトが周回してシート部材Ｐを搬送するようになっている。
【００４１】
〔下流側搬送部〕
図１に示されるように、下流側搬送部５４は、定着装置４０の下流側に配置され、ロールに巻き掛けられた無端状の搬送ベルトを備えたベルト搬送部材５４１を備えている。ベルト搬送部材５４１は、定着装置４０でトナー画像が定着されたシート部材Ｐを、シート部材Ｐを収容する排出部（図示省略）へ向けて搬送するようになっている。
【００４２】
＜要部構成＞
ここで、本実施形態では、トナー画像形成部２０Ｗは、第２特別色（Ｗ）としての銀色のトナーを用いてトナー画像を形成する構成とされている（図１参照）。すなわち、トナー画像形成部２０Ｗでは、銀色トナーが静電力によって感光体ドラム２１Ｗ（第１被形成体の一例）に付着されて銀色画像（第１画像の一例）が形成される。そして、この銀色画像は、一次転写ロール３３Ｗ（第１転写部材の一例）によって、転写位置ＴＷにて、感光体ドラム２１Ｗから転写ベルト３１（転写体の一例）へ転写される。トナー画像形成部２０Ｗで用いられる銀色トナーは、金属顔料とバインダー樹脂とを含んで構成されている。金属顔料としては、例えば、アルミニウム等の金属が用いられる。
【００４３】
一方、トナー画像形成部２０Ｙ、２０Ｍ、２０Ｃ、２０Ｋ（以下、２０Ｙ〜２０Ｋと示す）で用いられるイエロー（Ｙ）、マゼンタ（Ｍ）、シアン（Ｃ）、及びブラック（Ｋ）のトナーは、金属顔料を含まず、金属顔料以外の顔料とバインダー樹脂とを含んで構成されている。従って、トナー画像形成部２０Ｙ〜２０Ｋでは、金属顔料を含まないトナーが静電力によって感光体ドラム２１Ｙ〜２１Ｋ（第２被形成体の一例）に付着されて各色の画像（第２画像の一例）が形成される。この各色の画像は、一次転写ロール３３Ｙ〜３３Ｋ（第２転写部材の一例）によって、転写位置ＴＹ、ＴＭ、ＴＣ、ＴＫにて、感光体ドラム２１Ｙ〜２１Ｋから転写ベルト３１へ転写される。
【００４４】
この一次転写ロール３３Ｙ〜３３Ｋ及び前述の一次転写ロール３３Ｗは、前述のとおり、給電部７２（第１印加部の一例、第２印加部の一例）によって、トナー極性とは逆極性の転写電圧が印加される。なお、一次転写ロール３３Ｙ〜３３Ｋ及び前述の一次転写ロール３３Ｗは、別々の給電部から転写電圧を印加される構成であってもよい。
【００４５】
なお、本明細書では、説明の便宜上、イエロー（Ｙ）、マゼンタ（Ｍ）、シアン（Ｃ）、及びブラック（Ｋ）を「他色」と称し、他色のトナーを「他色トナー」と称し、他色のトナー画像を「他色画像」と称する。
【００４６】
また、本実施形態では、前述のとおり、第１特別色（Ｖ）のトナー画像形成部２０Ｖは、稼働されない構成となっている。
【００４７】
前述のように、銀色トナーは金属顔料を用いているため、他色トナーよりも導電性が高くなっている。このため、銀色トナーは、他色トナーに比べ、電荷が注入されやすい性質を有している。また、銀色トナーは、粒径が他色トナーよりも大きくなっている。
【００４８】
また、本実施形態では、他色画像を形成せずに、銀色画像を形成する態様（金属色モード）と、銀色画像を形成せずに、少なくとも１色の他色画像を形成する態様（他色モード）と、銀色画像と少なくとも１色の他色画像とを形成する態様（混色モード）と、を有している。
【００４９】
金属色モードは、制御部７０がトナー画像形成部２０Ｙ〜２０Ｋを稼働させず且つトナー画像形成部２０Ｗを稼働させることで、実行される。また、他色モードは、制御部７０がトナー画像形成部２０Ｗを稼働させず且つトナー画像形成部２０Ｙ〜２０Ｋの少なくとも１つを稼働させることで、実行させる。さらに、混色モードは、制御部７０がトナー画像形成部２０Ｗとトナー画像形成部２０Ｙ〜２０Ｋの少なくとも１つとを稼働させることで、実行される。
【００５０】
なお、混色モードでは、シート部材Ｐ上において、銀色画像が他色画像上に重ねられる部分で、他色の色味がかった銀色を呈する。また、混色モードでは、銀色画像は、転写ベルト３１上において、他色画像の下層（他色画像と転写ベルト３１との間）に存在することになる。
【００５１】
本実施形態では、図１に示されるように、感光体ドラム２１Ｙ〜２１Ｋが、銀色画像が転写ベルト３１に転写される転写位置ＴＷに対する転写ベルト３１の搬送方向下流側に配置されている。このため、混色モード及び金属色モードにおいて、転写ベルト３１の銀色トナーが、感光体ドラム２１Ｙ〜２１Ｋに付着する場合がある。特に、転写位置ＴＷに近接した感光体ドラム２１Ｙには、銀色トナーが付着する可能性が高い。
【００５２】
感光体ドラム２１Ｙへの銀色トナーの付着は、例えば、以下のように生じる。すなわち、感光体ドラム２１Ｗと転写ベルト３１との間や、感光体ドラム２１Ｙと転写ベルト３１との間で、生じる放電によって、正極性の電荷が銀色トナーに注入されて銀色トナーが正極性に帯電することで、一次転写電圧の印加の際に負極性側となる感光体ドラム２１Ｙに付着する。なお、感光体ドラム２１Ｗと転写ベルト３１との間の放電は、例えば、転写位置ＴＷ（感光体ドラム２１Ｗと転写ベルト３１との接触部分）に対する下流側の微小な隙間で生じる放電である。感光体ドラム２１Ｙと転写ベルト３１との間の放電は、例えば、転写位置ＴＹ（感光体ドラム２１Ｙと転写ベルト３１との接触部分）に対する上流側の微小な隙間で生じる放電である。
【００５３】
そして、例えば、感光体ドラム２１Ｙに銀色トナーが付着した場合には、転写後に感光体ドラム２１Ｙに残留したイエロー（Ｙ）のトナーと共に、銀色トナーが電荷付与装置２６Ｙと対向する位置に運ばれる。電荷付与装置２６Ｙでは、前述のように、負極性の電荷、すなわち、イエロー画像が転写ベルト３１に転写された後に感光体ドラム２１Ｙに付着しているトナー（イエロー（Ｙ）のトナーや銀色トナー）と逆極性の電荷を感光体ドラム２１Ｙに付与する。
【００５４】
ここで、電荷付与装置２６Ｙに対向する位置に運ばれていく銀色トナーのトナーの帯電分布について、図３及び図４に基づき説明する。当該説明では、電荷付与装置２６Ｙが、混色モード等のモードに関わらず、電荷付与装置２６Ｙの出力が一定であるもの（比較例）とする。なお、図４において、実線Ｓよりも右側が、銀色トナーが正極性（プラス）に帯電したことを示し、実線Ｓよりも左側が、銀色トナーが負極性（マイナス）に帯電したことを示す。また、横軸の「ｑ/ｄ」における「ｑ」は、トナーの電荷量を示し、「ｄ」は、トナーの粒径（直径）を示す。
【００５５】
銀色トナーの帯電分布は、トナー画像形成部２０Ｗの現像装置２４の現像ロール２４１に保持された状態において（図３のＴ１参照）、図４の一点鎖線で示されるように、ピーク（最頻値）が負極性を示す。なお、銀色トナーの帯電分布は、平均帯電で見た場合でも、負極性を示す。
【００５６】
銀色トナーは、感光体ドラム２１Ｗに付着してから転写ベルト３１に転写された状態において（図３のＴ２参照）、図４の破線で示されるように、帯電分布が正極側に移動（シフト）している。これは、感光体ドラム２１Ｗから転写ベルト３１への転写の際に生じる放電によって、正極性の電荷が銀色トナーに注入されるためと推察される。特に、銀色トナーは、他色トナーに比べて導電性が高いため、電荷の注入が生じやすい。
【００５７】
なお、当該放電は、例えば、転写位置ＴＷ（感光体ドラム２１Ｗと転写ベルト３１との接触部分）に対する下流側の微小な隙間部分で生じる。
【００５８】
さらに、銀色トナーは、転写位置ＴＹにおいて、感光体ドラム２１Ｙに付着すると（図３のＴ３参照）、図４の二点鎖線で示されるように、帯電分布のピーク（最頻値）が正極性を示す。なお、銀色トナーの帯電分布は、平均帯電を見た場合でも、正極性を示す。
【００５９】
これは、前述のとおり、感光体ドラム２１Ｙと転写ベルト３１との間で生じる放電によって、正極性の電荷が銀色トナーに注入されることで、一次転写電圧の印加の際に負極性側となる感光体ドラム２１Ｙに付着するためと推察される。
【００６０】
銀色トナーは、感光体ドラム２１Ｙへ負極性の電荷を付与する電荷付与装置２６Ｙと感光体ドラム２１Ｙとの間を通過すると（図３のＴ４参照）、図４の実線で示されるように、帯電分布が負極側に移動（シフト）する。これは、電荷付与装置２６Ｙと感光体ドラム２１Ｙとの間を通過する際に、電荷付与装置２６Ｙから負極性の電荷が注入されるためと推察される。
【００６１】
銀色トナーに負極性の電荷が注入されると、図４の実線で示されるように、銀色トナーの帯電分布は、ゼロチャージ（負極性にも正極性にも帯電していない状態）のトナーの存在確率が上昇する。銀色トナーがゼロチャージとなると、感光体ドラム２１Ｙに対する静電的な付着力が低下する。これにより、図２に示されるように、シール部材２５３をすり抜けることができずに、シール部材２５３で滞留する（図２のＰ１参照）。そして、滞留した銀色トナーが、電荷付与装置２６Ｙに落下（ボタ落ち）したり（図２のＰ２参照）、転写ベルト３１に落下したりすることで、画像不良が生じる場合がある。また、感光体ドラム２１Ｙに対する付着力が低下することで、感光体ドラム２１Ｙから剥離された銀色トナーが浮遊することで、機内汚れが生じる場合がある。
【００６２】
さらに、図５には、シール部材２５３で滞留した銀色トナーの落下（ボタ落ち）と、画像サイズＡ３当たりの搬送方向におけるトナー量と、の関係が示されている。搬送方向におけるトナー量は、具体的には、制御部７０が取得した画像データから導かれる。すなわち、画像データにおけるシート部材Ｐの搬送方向に対応する方向において、銀色トナーによる画像領域が占める割合からトナー量が導かれる。なお、当該トナー量は、画像データにおいて、シート部材Ｐの幅方向（搬送方向に直交する方向）に対応する方向の全部又は一部で算出される。
【００６３】
図５に示されるように、当該トナー量が基準量Ｃを超えると、銀色トナーの落下が発生し、当該トナー量が増加するにつれて、落下量も増加する傾向にある。これは、搬送方向におけるトナー量が増加するほど、感光体ドラム２１Ｙに付着する銀色トナーの量が増加し、シール部材２５３で滞留して落下する量も増加するためだと推察される。
【００６４】
なお、図４に示す帯電分布及び、図５に示す落下とトナー量との関係は、トナー画像形成部２０Ｗにおいて、銀色画像が転写ベルト３１へ転写された後に感光体ドラム２１Ｗに残留して電荷付与装置２６Ｗとの対向位置へ運ばれる銀色トナーにおいても同様の傾向を示す。
【００６５】
そこで、制御部７０は、混色モード・金属色モードにおいて、画像サイズＡ３当たりの搬送方向における銀色トナーのトナー量が基準量Ｃを超える場合に、電荷付与装置２６Ｗ、２６Ｙの稼働を停止するようになっている。すなわち、電荷付与装置２６Ｗ、２６Ｙの出力を０に低下させる。なお、制御部７０は、他色モードにおいては、電荷付与装置２６Ｗを稼働せず、電荷付与装置２６Ｙを稼働するようになっている。
【００６６】
さらに、本実施形態では、制御部７０は、混色モード・金属色モードにおいて、転写ベルト３１上の画像がシート部材Ｐに転写されない場合にも、画像サイズＡ３当たりの搬送方向における銀色トナーのトナー量に関わらず、電荷付与装置２６Ｗ、２６Ｙの稼働を停止するようになっている。なお、この場合において、画像サイズＡ３当たりの搬送方向における銀色トナーのトナー量を考慮しないのは、シート部材Ｐにトナー画像が転写されず画質が要求されないため、後述のゴーストの発生を考慮しなくても良いためである。
【００６７】
転写ベルト３１上のトナー画像がシート部材Ｐに転写されない場合とは、転写ベルト３１上のトナー画像のトナー濃度を検出するための濃度検出用画像（パッチ）や、転写ベルト３１上のトナー画像における各色間の位置ずれを検出するための色ずれ検出用画像（パッチ）や、劣化した現像剤（トナー）を消費するための画像（バンド）等を転写ベルト３１に形成する場合がある。
【００６８】
前述のように、電荷付与装置２６の稼働を停止すると、画像履歴が除去されなくなるため、ゴーストが生じる場合がある。なお、ゴーストは、画像形成した次のサイクルにおいて、その前のサイクルの画像履歴（静電潜像）が残る現象をいう。
【００６９】
図６には、ゴーストと、一次転写ロール３３に印加する転写電圧の電流値との関係が示されている。図６におけるゴーストは、目視にてゴーストの発生を評価する官能評価によって評価されたものである。
【００７０】
ゴーストは、図６に示されるように、給電部７２が一次転写ロール３３に印加する転写電圧の電流値が高くなると生じる傾向にある。また、電荷付与装置２６の稼働を停止した場合（電荷付与装置２６の出力が小さい場合）において、ゴーストが発生する傾向にある。
【００７１】
そこで、本実施形態では、制御部７０は、混色モード・金属色モードにおいて、電荷付与装置２６Ｗ、２６Ｙの稼働を停止する場合に、給電部７２が一次転写ロール３３Ｗ、３３Ｙに印加する転写電圧を、他色モードの場合よりも低下させる。
【００７２】
なお、転写ベルト３１上の画像がシート部材Ｐに転写されない場合に電荷付与装置２６Ｗ、２６Ｙの稼働を停止する場合では、高い画質が要求されず、画像にゴーストが発生してもよいため、給電部７２の制御は行われない。
【００７３】
＜要部構成の作用＞
次に、要部構成の作用について説明する。ここでは、混色モードにおける作用について説明する。
【００７４】
混色モードの画像形成指令を受けた制御部７０は、図１に示されるように、銀色のトナー画像形成部２０Ｗ及び他色のトナー画像形成部２０Ｙ〜２０Ｋ、転写装置３０、定着装置４０を作動させる。これにより、図２に示されるように、銀色のトナー画像形成部２０Ｗ及び他色のトナー画像形成部２０Ｙ〜２０Ｋの感光体ドラム２１、現像装置２４の現像ロール２４１が回転され、転写ベルト３１が周回される。また、加圧ロール４２が回転されると共に、加熱ロール４１が周回される。さらに、これらの動作に同期して、制御部７０は、搬送装置５０等を作動させる。
【００７５】
これにより、各色の感光体ドラム２１は、回転されながら帯電器２２によって帯電される。また、制御部７０は、画像信号処理部で画像処理が施された画像データを、各露光装置２３に送る。各露光装置２３は、画像データに応じて各露光光Ｌを出射して、帯電した各感光体ドラム２１に露光する。すると、各感光体ドラム２１の表面に静電潜像が形成される。各感光体ドラム２１に形成された静電潜像は、現像装置２４から供給される現像剤によって現像される。これにより、各色の感光体ドラム２１には、銀色（Ｗ）、イエロー（Ｙ）、マゼンタ（Ｍ）、シアン（Ｃ）、ブラック（Ｋ）のトナー画像が形成される。
【００７６】
各色の感光体ドラム２１に形成された各色のトナー画像は、各色の一次転写ロール３３への転写電圧の印加によって、周回する転写ベルト３１に順次転写される。これにより、転写ベルト３１には、各色のトナー画像が重畳された重畳トナー画像が形成される。この重畳トナー画像は、転写ベルト３１の周回によって転写ニップＮＴに搬送される。
【００７７】
この転写ニップＮＴには、図１に示されるように、媒体供給部５２の搬送ロール対５２２Ｒによって重畳トナー画像の搬送にタイミングを合わせてシート部材Ｐが供給される。この転写ニップＮＴにおいて転写電圧が印加されることで、転写ベルト３１から重畳トナー画像がシート部材Ｐに転写される。
【００７８】
トナー画像が転写されたシート部材Ｐは、中間搬送部５８によって転写ニップＮＴから定着ニップＮＦに向けて、搬送される。定着装置４０は、定着ニップＮＦを通過するシート部材Ｐに熱及び圧力を付与する。これにより、シート部材Ｐに転写されたトナー画像が定着される。
【００７９】
定着装置４０から排出されたシート部材Ｐは、下流側搬送部５４のベルト搬送部材５４１によって、図示しない排出部に向けて搬送される。
【００８０】
ここで、本実施形態では、制御部７０は、混色モード・金属色モードにおいて、画像サイズＡ３当たりの搬送方向における銀色トナーのトナー量が基準量Ｃを超える場合に、電荷付与装置２６Ｗ、２６Ｙの稼働を停止する。なお、トナー画像形成部２０Ｍ、２０Ｃ、２０Ｋにおける電荷付与装置２６Ｍ、２６Ｃ、２６Ｋは稼働される。
【００８１】
前述のように、電荷付与装置２６Ｗ、２６Ｙの稼働を停止することで、銀色トナーに対して、電荷付与装置２６Ｗ、２６Ｙによる負極性の電荷の注入が生じない。このため、銀色トナーの帯電分布は、負極側に移動（シフト）しないため、図４の実線で示す帯電分布とはならず、図４の二点鎖線に示す帯電分布の状態を維持する。
【００８２】
これにより、感光体ドラム２１Ｗ、２１Ｙに対する銀色トナーの静電的な付着力の低下が抑制され、感光体ドラム２１Ｗ、２１Ｙから落下や浮遊することで生じる画像不良や機内汚れが抑制される。
【００８３】
また、本実施形態では、制御部７０は、電荷付与装置２６Ｗ、２６Ｙの稼働を停止した場合に、給電部７２が一次転写ロール３３Ｗ、３３Ｙに印加する転写電圧を低下させる。これにより、電荷付与装置２６Ｗ、２６Ｙの稼働を停止しても、トナー画像形成部２０Ｗ、２０Ｙにおいてゴーストの発生が抑制される。
【００８４】
さらに、混色モードにおいて、転写ベルト３１上の画像がシート部材Ｐに転写されない場合にも、画像サイズＡ３当たりの搬送方向における銀色トナーのトナー量に関わらず、電荷付与装置２６Ｗ、２６Ｙの稼働が停止される。
【００８５】
これにより、感光体ドラム２１Ｗ、２１Ｙに対する銀色トナーの静電的な付着力の低下が抑制され、感光体ドラム２１Ｗ、２１Ｙから落下や浮遊することで生じる画像不良や機内汚れが抑制される。
【００８６】
＜変形例＞
前述の本実施形態では、制御部７０は、混色モード・金属色モードにおいて、画像サイズＡ３当たりの搬送方向における銀色トナーのトナー量が基準量Ｃを超える場合に、電荷付与装置２６Ｗ、２６Ｙの稼働を停止していたが、これに限られない。
【００８７】
例えば、混色モード・金属色モードにおいて、画像サイズＡ３当たりの搬送方向における銀色トナーのトナー量が基準量Ｃを超える場合に、電荷付与装置２６Ｗ、２６Ｙの稼働を停止すればよい。
【００８８】
また、例えば、混色モード・金属色モードにおいて、画像サイズＡ３当たりの搬送方向における銀色トナーのトナー量が基準量Ｃを超える場合に、電荷付与装置２６Ｗ、２６Ｙの出力を、電荷付与装置２６Ｗ、２６Ｙを通常運転で稼働させた場合の出力（他色モードにおいて電荷付与装置２６Ｙを稼働させる場合の出力）よりも低下させる構成であっても良い。
【００８９】
また、例えば、混色モード・金属色モードにおいて、画像サイズＡ３当たりの搬送方向における銀色トナーのトナー量が基準量Ｃを超える場合に、電荷付与装置２６Ｗ、２６Ｙの出力を上昇させる構成であってもよい。この場合では、電荷付与装置２６Ｗ、２６Ｙの出力値は、感光体ドラム２１Ｗ、２１Ｙに付着した銀色トナーに電荷が注入された際の銀色トナーの帯電量の絶対値が、電荷付与装置２６Ｗ、２６Ｙを通常運転で稼働させた場合における絶対値（電荷付与装置２６Ｙを他色モードで稼働させた場合における絶対値（図４の実線で示す絶対値））よりも高まるように設定される。すなわち、制御対象の電荷付与装置２６による電荷の付与によって電荷が注入される銀色トナーにおける帯電量の絶対値が高まるように、当該電荷付与装置２６の出力が設定される。
【００９０】
このように、感光体ドラム２１Ｗ、２１Ｙに付着した銀色トナーの帯電量の絶対値が大きくなれば、電荷付与装置２６Ｗ、２６Ｙの出力は、低下させる場合に限られず、上昇させてもよい。
【００９１】
また、前述の実施形態では、転写位置ＴＷよりも搬送方向下流側のトナー画像形成部２０Ｙ〜２０Ｋのうち、トナー画像形成部２０Ｙにおいて、電荷付与装置２６の稼働を停止していたが、この構成に限られず、トナー画像形成部２０Ｍ〜２０Ｋにおいて、電荷付与装置２６の稼働を停止してもよい。すなわち、転写位置ＴＷよりも搬送方向下流側のトナー画像形成部２０Ｙ〜２０Ｋのうち、少なくとも１つのトナー画像形成部２０において、電荷付与装置２６の出力が制御されればよい。当該出力の制御には、稼働を停止する場合だけでなく、前述の変形例で示す「出力を低下させる構成」及び「出力を上昇させる構成」も含まれる。
【００９２】
また、前述の実施形態では、画像サイズＡ３当たりの搬送方向における銀色トナーのトナー量が基準量Ｃを超える場合に、電荷付与装置２６Ｗ、２６Ｙの出力を制御していたが、当該トナー量に関わらず、電荷付与装置２６Ｗ、２６Ｙの出力を制御する構成であってもよい。この場合では、電荷付与装置２６Ｗは、使用されないので電荷付与装置２６Ｗを設けなくてもよい。なお、電荷付与装置２６Ｗを設ける構成により、トナー画像形成部２０Ｗの構成がトナー画像形成部２０Ｙ〜２０Ｋなどの構成と共通化される。
【００９３】
本発明は、上記の実施形態に限るものではなく、その主旨を逸脱しない範囲内において種々の変形、変更、改良が可能である。例えば、上記に示した変形例は、適宜、複数を組み合わせて構成しても良い。
【符号の説明】
【００９４】
１０   画像形成装置
２１Ｗ  感光体ドラム（第１被形成体の一例）
２１Ｙ  感光体ドラム（第２被形成体の一例）
２６Ｗ 電荷付与装置（第１除去部の一例）
２６Ｙ 電荷付与装置（第２除去部の一例）
３１   転写ベルト（転写体の一例）
３３Ｗ 一次転写ロール（第１転写部材の一例）
３３Ｙ 一次転写ロール（第２転写部材の一例）
７０   制御部
７２   給電部（第１印加部の一例、第２印加部の一例）
【図１】
2015158528.tif 000003
【図２】
2015158528.tif 000004
【図３】
2015158528.tif 000005
【図４】
2015158528.tif 000006
【図５】
2015158528.tif 000007
【図６】
2015158528.tif 000008